(57)【要約】【課題】従来、コーンを利用して仮設されるコーンバーを、ポールの中間高さに安定良く支持することが出来る仮設ポールを提供する。【解決手段】複数本のポール単体１を接続して構成され且つ中間高さにコーンバー支持具受け部５１が設けられた仮設ポール５０と、この仮設ポール５０を地面上に垂直に据え付けるための据付け手段と、前記コーンバー支持具受け部５１に着脱自在に支持されたコーンバー支持具４１とから成り、前記コーンバー支持具４１は、前記コーンバー支持具受け部５１の上側でポール単体１に嵌合して前記コーンバー支持具受け部５１に支持される板状取付け部材４３と、この板状取付け部材４３に連設されて、コーンバー３４の端部のリング３４ａをポール単体１と同心状に支持するリング支持部４４ａを備えた構成。【選択図】図８
2014084571.tif 000002
【特許請求の範囲】
【請求項１】
複数本のポール単体を接続して構成され且つ中間高さにコーンバー支持具受け部が設けられた仮設ポールと、この仮設ポールを地面上に垂直に据え付けるための据付け手段と、前記コーンバー支持具受け部に着脱自在に支持されたコーンバー支持具とから成り、前記コーンバー支持具は、前記コーンバー支持具受け部の上側でポール単体に嵌合して前記コーンバー支持具受け部に支持される板状取付け部材と、この板状取付け部材に連設されて、コーンバー端部のリングをポール単体と同心状に支持するリング支持部を備えている、コーンバー支持用仮設ポール。
【請求項２】
前記ポール単体は、下側になるポール単体の上端に設けられた受け用筒状部と、上側になるポール単体の下端に設けられた差込み用小径軸部との嵌合により接続され、前記コーンバー支持具受け部は、下側になるポール単体の前記受け用筒状部の上端部に形成された拡径部の開口端で構成されている、請求項１に記載のコーンバー支持用仮設ポール。
【請求項３】
前記差込み用小径軸部を下端に備えた上側のポール単体には、当該差込み用小径軸部を下側のポール単体の前記受け用筒状部に嵌合させて上下の両ポール単体を接続したとき、前記受け用筒状部の上端の拡径部の開口端より上側に露出し且つポール単体を構成しているパイプ本体よりも細い被嵌合部が設けられ、前記差込み用小径軸部の先端側から嵌合させた前記コーンバー支持具の板状取付け部材が前記被嵌合部に嵌合して、下側のポール単体の前記受け用筒状部の拡径部の開口端との間に位置決めされるように構成された、請求項２に記載のコーンバー支持用仮設ポール。
【請求項４】
前記コーンバー支持具のリング支持部は、前記板状取付け部材の周辺から下向きに連設された周方向複数本の支持脚部の下端部に形成されている、請求項１〜３の何れか１項に記載のコーンバー支持用仮設ポール。
【請求項５】
前記仮設ポールの上端には、コーンバー支持用キャップが嵌合され、このコーンバー支持用キャップは、仮設ポールと同心状にコーンバー端部のリングを支持することが出来る、請求項１〜３の何れか１項に記載のコーンバー支持用仮設ポール。
【発明の詳細な説明】
【技術分野】
【０００１】
本発明は、道路や建造物の工事現場において、安全対策などのために仮設されるコーンバーを、専用の支持用コーンを使用せずに支持出来るコーンバー支持用仮設ポールに関するものである。
【背景技術】
【０００２】
道路や建造物の工事現場においては、通行人や工事関係者に対する安全対策として、危険エリアなどを区画するためにコーンバーが仮設される。このコーンバーは、カラーコーン（登録商標）と称されるプラスチック製コーンの頂部に嵌合させるためのリングを所定長さのバーの両端に取り付けたものであって、使用に際しては、地面上の所定位置に前記コーンをコーンバー長さに対応する間隔で載置し、コーンバーの両端のリングをそれぞれコーンの頂部に嵌合させることにより地面上一定高さに仮設される。
【発明の概要】
【発明が解決しようとする課題】
【０００３】
上記のようにコーンバーの使用に際しては、嵩張るプラスチック製コーンが必要であるばかりでなく、当該コーンの高さによってコーンバーの仮設高さが決まってしまうものであるため、コーンバーの仮設高さを状況に応じて高くすることが出来ないし、場合によっては上下複数段にコーンバーを仮設することが出来ない。しかもコーンバーの仮設と共に、安全対策効果を高めるための各種部品、例えば自発光型表示器やリフレクタ、或いは看板などを併用しようとした場合、これら各種部品を支持するための仮設ポールを前記コーンとは別に地面上に据え付ける必要があり、多大の手間が掛かるだけでなくコスト高になる。
【課題を解決するための手段】
【０００４】
本発明は、上記のような従来の問題点を解消することのできるコーンバー支持用仮設ポールを提案するものであって、本発明に係るコーンバー支持用仮設ポールは、後述する実施例との関係を理解し易くするために、当該実施例の説明において使用した参照符号を括弧付きで付して示すと、複数本のポール単体(1)を接続して構成され且つ中間高さにコー
ンバー支持具受け部(51)が設けられた仮設ポール(50)と、この仮設ポール(50)を地面上に垂直に据え付けるための据付け手段(30)と、前記コーンバー支持具受け部(51)に着脱自在に支持されたコーンバー支持具(41)とから成り、前記コーンバー支持具(41)は、前記コーンバー支持具受け部(51)の上側でポール単体(1)に嵌合して前記コーンバー支持具受け部(51)に支持される板状取付け部材(43)と、この板状取付け部材(43)に連設されて、コーン
バー端部のリング(34a)をポール単体(1)と同心状に支持するリング支持部(44a)を備えた
構成になっている。
【発明の効果】
【０００５】
上記本発明の仮設ポールは、複数本のポール単体を接続して組み立てた仮設ポールを前記据付け手段によって地面上に垂直に据え付けるのであるが、仮設ポールを組み立てる際に、コーンバーを仮設したい高さにあるポール単体のコーンバー支持具受け部にコーンバー支持具の板状取付け部材を支持させるように、当該板状取付け部材をポール単体に嵌合させた状態で、ポール単体どうしを接続して仮設ポールを組み立てることにより、仮設ポールの中間高さにコーンバー支持具を同心状に組み込むことが出来る。コーンバーは、そのリングを仮設ポールの上端から嵌合させて前記コーンバー支持具の方へ移動させることにより、当該リングをコーンバー支持具のリング支持部に嵌合支持させることが出来る。
【０００６】
従って、中間高さにコーンバー支持具を組み込んだ仮設ポールをコーンバーの長さに対応する間隔で前記据付け手段によって設置することにより、コーンバー支持具の高さでコーンバーを仮設することが出来、場合によっては、仮設ポールに対するコーンバー支持具の組み込みとコーンバーの支持とを、下から上に順番に行って、上下複数段にコーンバーを仮設することも可能である。しかも、コーンバー端部のリングを仮設ポールの側部に取り付けたフックに引っ掛けるようにして仮設する場合と比較して、コーンバーのリングが仮設ポールに嵌合した状態で当該仮設ポールと同心状に支持されるので、コーンバーを安定良く支持出来ると共に、仮に仮設ポールが倒れてもコーンバー端部のリングが仮設ポールの中間高さに嵌合しているので、仮設ポールからコーンバーが外れて分散してしまうことも無い。
【０００７】
尚、各ポール単体(1)は、一方のポール単体(1)の端部の差込み用小径軸部(9)を他方の
ポール単体(1)の端部の受け用筒状部(11)に差し込む嵌合構造によって互いに接続される
が、この場合、下側になるポール単体(1)の上端に設けられた受け用筒状部(11)と、上側
になるポール単体(1)の下端に設けられた差込み用小径軸部(9)との嵌合により接続されるように構成し、前記コーンバー支持具受け部(51)は、下側になるポール単体(1)の前記受
け用筒状部(11)の上端に形成した拡径部(20)の開口端で構成することが出来る。この構成によれば、コーンバー支持具(41)の板状取付け部材(43)を下側のポール単体(1)の上端に
位置する受け用筒状部(11)の上端の拡径部(20)の開口端で安定良く支持させることが出来る。
【０００８】
又、前記差込み用小径軸部(9)を下端に備えた上側のポール単体(1)には、当該差込み用小径軸部(9)を下側のポール単体(1)の前記受け用筒状部(11)に嵌合させて上下の両ポール単体(1)を接続したとき、前記受け用筒状部(11)の上端の拡径部(20)の開口端より上側に
露出し且つポール単体(1)を構成しているパイプ本体(1a)よりも細い被嵌合部(19)を設け
、前記差込み用小径軸部(9)の先端側から嵌合させた前記コーンバー支持具(41)の板状取
付け部材(43)が前記被嵌合部(19)に嵌合して、下側のポール単体(1)の前記受け用筒状部
(11)の拡径部(20)の開口端との間に位置決めされるように構成することが出来る。この構成によれば、上記のようにコーンバー支持具の板状取付け部材を、コーンバー支持具受け部である受け用筒状部の上端の拡径部の開口端により安定良く支持させることが出来ると同時に、このコーンバー支持具の板状取付け部材が前記コーンバー支持具受け部から上方に移動できない状態に位置決めされるので、コーンバー支持具が仮設ポールにネジ止めされた仮設ポールと同じように、コーンバー支持具に対するコーンバー端部のリングの嵌脱操作を容易に行うことが出来る。
【０００９】
コーンバー支持具(41)は、ポール単体(1)と同心状にコーンバー端部のリング(34a)を支持出来るものであれば如何なる構造であっても良いが、前記板状取付け部材(43)の周辺から下向きに連設された周方向複数本の支持脚部(44)の下端部にリング支持部(44a)が形成
されたコーンバー支持具(41)とすることにより、金属板の打ち抜きと曲げ加工で安価に構成できると共に、各支持脚部(44)の弾性を利用してコーンバー端部のリング(34a)をがたつきなく支持出来る構造とすることが出来る。
【００１０】
仮設ポールに設けられるコーンバー支持具受け部(51)は、仮設ポールの上下両端間の複数個所に設けて、上下複数段にコーンバー(34)を仮設することも出来るが、仮設ポールと同心状にコーンバー端部のリング(34a)を支持することが出来るコーンバー支持用キャッ
プ(33)を仮設ポールの上端に嵌合することにより、仮設ポールの上端に最上位のコーンバーを支持させる状態で、上下複数段にコーンバーを仮設することが出来る。又、前記のように受け用筒状部(11)がポール単体(1)の上端に位置する向きで各ポール単体(1)を接続して仮設ポールを組み立てる場合に必要になる、仮設ポールの上端で上向きに開口する受け用筒状部(11)のキャップを、コーンバー端部のリングの支持手段に兼用させることが出来る。
【図面の簡単な説明】
【００１１】
【図１】図１は、仮設ポールの組立て及び使用方法を説明する側面図である。
【図２】図２Ａは、ポール単体両端の嵌合部を示す側面図、図２Ｂは、同縦断側面図である。
【図３】図３Ａは、図２ＡのＡ−Ａ線断面図、図３Ｂは、図２ＡのＢ−Ｂ線断面図である。
【図４】図４Ａは、中間ポール単体の嵌合部の構造を示す一部縦断側面図、図４Ｂは、最下端ポール単体とその上のポール単体との嵌合部の構造を示す一部縦断側面図、図４Ｃは、最下端ポール単体の受け用筒状部の基部側凹窪部を示す横断平面図である。
【図５】図５Ａは、キャップ用取付け部品としての自発光型表示器を示す側面図、図５Ｂは、その自発光型表示器を最上端ポール単体に取り付けた状態を示す側面図である。
【図６】図６Ａは、コーンバー支持用キャップの側面図、図６Ｂは、同コーンバー支持用キャップの平面図、図６Ｃは、図６ＡのＸ−Ｘ線断面図である。
【図７】図７は、上記コーンバー支持用キャップを最上端ポール単体に取り付けた状態を示す側面図である。
【図８】図８Ａは、仮設ポールの中間位置にコーンバーを取り付けるためのコーンバー支持具を示す側面図、図８Ｂは、同コーンバー支持具の平面図、図８Ｃは、同コーンバー支持具を仮設ポールの中間位置に取り付けた状態を示す側面図である。
【図９】図９は、仮設ポール間に上下複数段にコーンバーを支持させた状態を示す側面図である。
【図１０】図１０は、従来周知のコーンと本発明に係る仮設ポールとを利用してコーンバーを仮設した状態を示す側面図である。
【発明を実施するための形態】
【００１２】
図１において、１は仮設ポール組立て用のポール単体、２は杭用ポール単体、３はクランプ取付け用ポール単体、４は、内部に注水して重量アップを図った状態で地盤上などの仮設ポール設置位置に載置される注水式ベースであって、中央に仮設ポール差込み用の垂直孔４ａが設けられている。５は固定用ベースであって、アンカーボルトなどで床版上などの仮設ポール設置位置に固定されるベース板５ｂの中央に仮設ポール接続用の短いポール単体５ａが垂直に固着立設されている。これら杭用ポール単体２、クランプ取付け用ポール単体３、注水式ベース４、及び固定用ベース５は、仮設ポールを地面上の定位置に垂直に据え付けるための据付け手段３０を構成している。
【００１３】
ポール単体１は、そのパイプ本体１ａの一端に、差込み用小径軸部９を備えた嵌合部１０が同心状に連設されると共に、パイプ本体１ａの他端には、受け用筒状部１１を備えた嵌合部１２が同心状に連設された、合成樹脂の一体成型物である。杭用ポール単体２は、ポール単体１のパイプ本体１ａとほぼ同一径の鋼管本体２ａの上端に、受け用筒状部１３を備えた嵌合部１４が設けられ、鋼管本体２ａの下端は打ち込み用尖端金具２ｂによって閉じられ、鋼管本体２ａの上端に打撃用キャップ２ｃを被せた状態で地盤に鉛直に打ち込まれる。クランプ取付け用ポール単体３は、ポール単体１のパイプ本体１ａとほぼ同一径の鋼管によって、前記杭用ポール単体２の上端の嵌合部１４と同じ、受け用筒状部１３を備えた嵌合部１４と、この嵌合部１４の下端側のクランプ取付け部１５を一体に構成したものであり、このクランプ取付け部１５にパイプクランプ６やコ型クランプ７などが取り付けられる。固定用ベース５のポール単体５ａは、クランプ取付け用ポール単体３から下端のクランプ取付け部１５を省いたものと同じもので、受け用筒状部１３を備えた嵌合部１４をポール単体１のパイプ本体１ａとほぼ同一径の鋼管によって構成したものであり、ベース板５ｂに下端が溶接されている。
【００１４】
ポール単体１の詳細構造を図２及び図３に基づいて説明すると、嵌合部１０を構成する差込み用小径軸部９は、パイプ本体１ａの内径より小径の円柱状軸部１６と、この円柱状軸部１６のパイプ本体１ａ側に外径が漸増するように連設された円錐面状基部１７と、前記円柱状軸部１６の先端に先端側ほど外径が漸減するように形成された円錐面状先端部１８から構成され、この差込み用小径軸部９の円錐面状基部１７とパイプ本体１ａとの間には、円錐面状基部１７の最大径と同一の太さでパイプ本体１ａよりも小径の被嵌合部１９が同心状に形成されている。ポール単体１の嵌合部１２を構成する受け用筒状部１１は、パイプ本体１ａの端部に外径が漸増する円錐形拡径部２０と、この円錐形拡径部２０の周方向等間隔おきの複数個所(図示例は４箇所)に内側に突出するように形成した先端内側突出部２１と、受け用筒状部１１の基部に相当する位置において、パイプ本体１ａの周壁の周方向等間隔おきの複数個所(図示例は４箇所)に内側に突出するように形成した基部内側突出部２２から構成されている。先端内側突出部２１及び基部内側突出部２２は、何れもその内側面の軸方向長さのほぼ中央部分が最も内側に突出する、軸方向の縦断面形状が山形状内側面を有するものである。
【００１５】
ポール単体１の嵌合部１０を構成する差込み用小径軸部９の内部には係止手段２３が内蔵されている。この係止手段２３は、Ｖ字形に曲げた板バネ２４の一端外側に短い位置決め用ピン２５が突設されると共に、前記板バネ２４の他端外側にロックピン２６が突設されたもので、円柱状軸部１６の先端近傍位置の周壁に直径方向に穿設された貫通ピン孔２７ａ，２７ｂの内、一方の貫通ピン孔２７ａに位置決め用ピン２５が嵌合すると共に他方の貫通ピン孔２７ｂにロックピン２６が嵌合するように、板バネ２４の弾性に抗して差込み用小径軸部９に内装されている。尚、位置決め用ピン２５は、貫通ピン孔２７ａからは殆ど突出していないが、ロックピン２６は、貫通ピン孔２７ｂから大きく突出すると共に、先端は円錐状に面取り加工されている。ポール単体１の嵌合部１２を構成する受け用筒状部１１には、この受け用筒状部１１に他のポール単体１の差込み用小径軸部９を差し込んだとき、当該差込み用小径軸部９の貫通ピン孔２７ｂから突出するロックピン２６の先端部を嵌合させることの出来る係止孔２８が、周方向等間隔おきの複数個所（図示例は４箇所)に設けられている。
【００１６】
鋼管によって構成された杭用ポール単体２、クランプ取付け用ポール単体３、及び固定用ベース５のポール単体５ａの嵌合部１４を構成する受け用筒状部１３は、杭用ポール単体２の嵌合部１４を例示している図４Ｂに示すように、ポール単体１の受け用筒状部１１と異なって、先端は鋼管の切断端そのままであって、円錐形拡径部２０や先端内側突出部２１を備えていない。又、ポール単体１の受け用筒状部１１に設けられた基部内側突出部２２に代えて、周方向に沿ったほぼ半円弧形の周方向２つの基部内側突出部２９をプレス加工により形成している。
【００１７】
図５Ａに示すキャップ用取付け部品としての自発光型表示器３１は、ポール単体１の差込み用小径軸部９及び被嵌合部１９と同一の差込み用小径軸部９及び被嵌合部１９を備えた取付け用軸部３２を、自発光型表示器３１の下端台座部３１ａの下側に一体に連設したものである。図６に示すキャップ用取付け部品としてのコーンバー支持用キャップ３３は、コーンバー３４の端部に連設されたリング３４ａを載置できる直径の台座部３５の上に、前記リング３４ａが丁度外嵌し得る外径を有する円形突出部３６を同心状に連設すると共に、当該円形突出部３６の上端周辺にリング３４ａの抜け止め用突起部３７を周方向等間隔おきの複数個所（図示例は４箇所）に突設して成るものであり、台座部３５の底部中央位置から下向きに取付け用軸部３８が連設されている。この取付け用軸部３８には、ポール単体１の嵌合部１２の円錐形拡径部２０内にこの取付け用軸部３８を圧入したとき、当該円錐形拡径部２０の内側に突出する各先端内側突出部２１の頂部を拡径しながら通過して、各先端内側突出部２１の軸方向の内側に係合する外径の抜け止め用拡径円周部３９と、周方向に隣り合う先端内側突出部２１の間に嵌合する回り止め突起４０が設けられ、更に台座部３５側の端部には、ポール単体１の差込み用小径軸部９の基部側に設けられた被嵌合部１９と同じ被嵌合部１９が設けられている。この取付け用軸部３８を含むコーンバー支持用キャップ３３は、取付け用軸部３８の下端のみが開口する中空状のもので、合成樹脂による一体成型物である。
【００１８】
図８に示すコーンバー支持具４１は、一枚の金属板から打ち抜きプレス加工で構成されたもので、ポール単体１の差込み用小径軸部９の直上に位置する前記被嵌合部１９に嵌合する貫通孔４２を備えた板状取付け部材４３と、この板状取付け部材４３の周縁の等間隔おきの複数個所（図示例は４箇所）から下向きに折曲連設され且つ下端に外向きに折曲されたリング支持部４４ａを有する支持脚部４４から構成されている。これら支持脚部４４は、コーンバー３４の端部のリング３４ａが外嵌したとき、弾性に抗して内側に傾動してリング支持部４４ａ上にリング３４ａが載置されるのを許すものであって、上下二段重ねにリング３４ａを支持出来るだけの長さ（高さ）を有する。
【００１９】
図９及び図１０に示す仮設ポール５０は、上下複数本（図示例は２本）のポール単体１を接続して構成しているが、ポール単体１の接続は、下側ポール単体１の上端の嵌合部１２の受け用筒状部１１内に上側ポール単体１の下端の嵌合部１０の差込み用小径軸部９を差し込むことで行われる。このとき、図４Ａに示すように、下側ポール単体１側の受け用筒状部１１に対する上側ポール単体１側の差込み用小径軸部９の差し込みは、下側ポール単体１側の受け用筒状部１１における円錐形拡径部２０内の各先端内側突出部２１に、上側ポール単体１側の差込み用小径軸部９の円錐面状基部１７における中間高さの外側面が当接すると共に、下側ポール単体１側の受け用筒状部１１の各基部内側突出部２２に、上側ポール単体１側の差込み用小径軸部９の円錐面状先端部１８における中間高さの外側面が当接する深さに制限されることになる。
【００２０】
従って、下側ポール単体１側の嵌合部１２と上側ポール単体１側の嵌合部１０との間の軸方向２箇所の当接部は、差込み用小径軸部９の円錐面状先端部１８の外側面と受け用筒状部１１の各基部内側突出部２２の内側頂面、及び差込み用小径軸部９の円錐面状基部１７の外側面と受け用筒状部１１の円錐形拡径部２０内の各先端内側突出部２１の内側頂面となり、これら上下２箇所の当接部の内、内側の当接部が円錐面となっているので、下側ポール単体１側の受け用筒状部１１に対して上側のポール単体１側の差込み用小径軸部９が自動調心され、両者は互いに同心状態に位置決めされる。
【００２１】
尚、上記のようにポール単体１を接続するとき、上側のポール単体１の差込み用小径軸部９に内装の係止手段２３のロックピン２６が下側のポール単体１の受け用筒状部１１の上端に当接するので、当該ロックピン２６を板バネ２４の弾性に抗して指先で押し込み、このロックピン２６を受け用筒状部１１の内側に入り込ませる。この状態でポール単体１側の差込み用小径軸部９を上記の制限深さまで差し込んだとき、差込み用小径軸部９側のロックピン２６の軸方向高さと受け用筒状部１１側の係止孔２８の軸方向高さとがほぼ一致するように構成されている。従って、上側のポール単体１の差込み用小径軸部９を下側のポール単体１の受け用筒状部１１に制限深さまで差し込んだ状態で、上下両ポール単体１を軸心の周りに相対回転させることにより、ロックピン２６と係止孔２８の１つとを合致させ、板バネ２４の弾性力で復帰する前記ロックピン２６の先端部を、図４Ａに示すように、受け用筒状部１１側の係止孔２８の１つに自動的に嵌合させることが出来る。この結果、上下のポール単体１どうしが接続状態にロックされる。
【００２２】
上記のように複数本のポール単体１で組み立てられる仮設ポール５０は、据付け手段３０である杭用ポール単体２、クランプ取付け用ポール単体３、注水式ベース４、及び固定用ベース５などを併用して、地面上の定位置に適当間隔おきに立設することが出来る。図９は、据付け手段３０である注水式ベース４の仮設ポール差込み用の垂直孔４ａに仮設ポール５０の最下端に位置する差込み用小径軸部９を差し込んで、仮設ポール５０を自立設置させた例と、据付け手段３０である固定用ベース５のポール単体５ａに仮設ポール５０の最下端に位置する差込み用小径軸部９を差し込んで、係止手段２３によりロックすることにより、仮設ポール５０を自立設置させた例を示しているが、仮設ポール５０を自立設置させる据付け手段３０としては、杭用ポール単体２やクランプ取付け用ポール単体３を利用することも出来る。
【００２３】
据付け手段３０として杭用ポール単体２、クランプ取付け用ポール単体３、及び固定用ベース５を利用するときは、仮設ポール５０の最下端の差込み用小径軸部９をポール単体２，３，５ａの受け用筒状部１３内に差し込むことになるが、この場合、図４Ｂに示すように、差込み用小径軸部９の円錐面状先端部１８の中間高さの外側面が受け用筒状部１３の基部にある基部内側突出部２９の内側面に当接したとき、ほぼ同時に、差込み用小径軸部９の円錐面状基部１７における中間高さの外側面に受け用筒状部１３の上端（円錐形拡径部２０の開口端）内周縁が当接するように構成されている。
【００２４】
従って、この場合の嵌合部１４とポール単体１側の嵌合部１０との間の軸方向２箇所の当接部は、差込み用小径軸部９の円錐面状先端部１８の外側面と受け用筒状部１３の基部内側突出部２９の内側頂面、及び差込み用小径軸部９の円錐面状基部１７の外側面と受け用筒状部１３の上端（円錐形拡径部２０の開口端）内周縁となり、これら上下２箇所の当接部の内、内側の当接部が円錐面となっているので、各ポール単体２，３，５ａ側の受け用筒状部１３に対してポール単体１側の差込み用小径軸部９が自動調心され、両者は互いに同心状態に位置決めされる。そして、ポール単体１どうしの接続時と同様に、前記受け用筒状部１３が備える係止孔２８の一つに差込み用小径軸部９が備える係止手段２３のロックピン２６を嵌合させて、ポール単体２，３，５ａに仮設ポール５０を接続状態でロック出来る。
【００２５】
尚、据付け手段３０としてクランプ取付け用ポール単体３を使用するときは、当該クランプ取付け用ポール単体３のクランプ取付け部１５に取り付けられているパイプクランプ６やコ型クランプ７を利用して、鋼管（単管）で組み立てられた仮設手摺りや、地面上に載置されたＨ形鋼の側辺に、受け用筒状部１３が鉛直姿勢となるように取り付ければ良い。
【００２６】
仮設ポール５０を組み立てるためにポール単体１どうしを接続したとき、図４Ａに示すように、下側のポール単体１の上端の受け用筒状部１１の直上位置に上側のポール単体１の被嵌合部１９が露出するように構成されている。従って、この仮設ポール５０を、図８に示すように、コーンバー３４の支持に利用するときは、仮設ポール５０の中間高さに位置する被嵌合部１９を利用して、図８に示すコーンバー支持具４１を組み付ける。即ち、上側のポール単体１を下側のポール単体１に接続する際に、上側のポール単体１の差込み用小径軸部９の先端側からコーンバー支持具４１の板状取付け部材４３の貫通孔４２を嵌合させて、当該板状取付け部材４３を被嵌合部１９に嵌合させる。この状態で上側のポール単体１の差込み用小径軸部９を下側のポール単体１の受け用筒状部１１に差し込むと共に係止手段２３によりロックすれば、被嵌合部１９に嵌合しているコーンバー支持具４１の板状取付け部材４３が、下側のポール単体１の受け用筒状部１１の上端、即ち、円錐形拡径部２０の開口端で支持されることになる。換言すれば、ポール単体１の受け用筒状部１１の上端、即ち、円錐形拡径部２０の開口端がコーンバー支持具受け部５１となっている。従って、差込み用小径軸部９側の被嵌合部１９に嵌合しているコーンバー支持具４１の板状取付け部材４３は、当該被嵌合部１９のパイプ本体１ａ側の段面と受け用筒状部１１側のコーンバー支持具受け部５１との間で挟まれて位置決めされる。
【００２７】
上記のように上下のポール単体接続部位置にコーンバー支持具４１を取り付けたならば、その上側のポール単体１の上端からコーンバー３４のリング３４ａを嵌合させ、当該リング３４ａをコーンバー支持具４１に嵌合させてリング支持部４４ａに仮設ポール５０と同心状に支持させることが出来る。仮設ポール５０を組み立てるポール単体１の本数が多くて、仮設ポール５０の中間高さに上下複数のポール単体接続部がある場合は、必要に応じて、コーンバー支持具４１を仮設ポール５０の中間高さに上下複数段に取り付け、上下複数段にコーンバー３４を仮設させることも出来る。この場合、コーンバー支持具４１の取付けとコーンバー３４のリング３４ａの支持を下から順番に行うことになる。
【００２８】
最上端のポール単体１の上端は、受け用筒状部１１が上向きに開口しているので、図９及び図１０に示すように、最上端のポール単体１の上端にコーンバー支持用キャップ３３や自発光型表示器３１を取り付けて、受け用筒状部１１の開口端を閉じることが出来る。コーンバー支持用キャップ３３を取り付けたときは、このコーンバー支持用キャップ３３を利用して仮設ポール５０の上端間にもコーンバー３４を架設させることが出来る。即ち、コーンバー支持用キャップ３３は、その取付け用軸部３８を仮設ポール５０の上端に位置する受け用筒状部１１に圧入させて、抜け止め用拡径円周部３９を受け用筒状部１１の先端内側突出部２１円錐形拡径部２０の軸方向の内側に嵌め込むと同時に、周方向に隣り合う先端内側突出部２１の間に回り止め突起４０を嵌合させ、コーンバー支持用キャップ３３を最上端のポール単体１の上端に抜け止め及び回り止めの状態で取り付けることが出来る。尚、このコーンバー支持用キャップ３３の取付け用軸部３８に設けられている被嵌合部１９も、各ポール単体１の被嵌合部１９と同様に、直下の受け用筒状部１１の上端より上側に露出している。
【００２９】
自発光型表示器３１を仮設ポール５０の上端の受け用筒状部１１に取り付けるときは、その取付け用軸部３２を、上側ポール単体１の下端の差込み用小径軸部９を下側ポール単体１の上端の受け用筒状部１１内に差し込んで係止手段２３のロックピン２６により、ロックすれば良い。この自発光型表示器３１の取付け状態においても、取付け用軸部３２の基部に形成された被嵌合部１９が受け用筒状部１１の直上に露出することになる。
【００３０】
従って、図９に示すように、仮設ポスト５０の上端に取り付けられるコーンバー支持用キャップ３３の取付け用軸部３８が有する被嵌合部１９を利用して、リフレクタ５２や看板５３を吊り下げるための看板用ブラケット５４を取り付けることが出来る。又、図１０に示すように、仮設ポスト５０の上端に取り付けられる自発光型表示器３１の取付け用軸部３２が有する被嵌合部１９を利用して、看板用ブラケット５４などを取り付けることが出来る。これらコーンバー支持用キャップ３３や自発光型表示器３１の被嵌合部１９に各種取付け部品を取り付けるときは、ポール単体１間の接続部の被嵌合部１９に取り付けられるコーンバー支持具４１の板状取付け部材４３と同じ構造の、被嵌合部１９に嵌合し得る貫通孔を備えた板状取付け部材５６（図７の仮想線参照）を、リフレクタ５２や看板用ブラケット５４などの各種取付け部品に設けておけば良い。
【００３１】
以上を要するに本発明によれば、複数本のポール単体１を接続して構成され且つ中間高さにコーンバー支持具４１が組み込まれた仮設ポール５０を、据付け手段３０である杭用ポール単体２、クランプ取付け用ポール単体３、注水式ベース４、固定用ベース５などを利用して、コーンバー３４の両端のリング３４ａ間の間隔に合わせて垂直に立設し、各仮設ポール５０間にコーンバー３４を、仮設ポール５０の中間高さに組み込まれたコーンバー支持具４１にコーンバー３４の両端のリング３４ａを仮設ポール５０と同心状に嵌合支持させることにより架設することが出来る。又、状況によっては仮設ポール５０を長尺にして、その中間高さに上下複数段にコーンバー３４を架設することも可能であるし、仮設ポール５０の上端にコーンバー支持用キャップ３３を取り付ければ、中間高さで架設されるコーンバー３４とは別に、仮設ポール５０の上端間にコーンバー３４を架設することも出来る。
【００３２】
更に、図１０に示すように、従来周知のコーン５５によって架設されるコーンバー３４の任意の１箇所又は複数箇所のコーン５５を、当該コーン５５によるコーンバー支持高さとほぼ同一高さにコーンバー支持具４１を取り付けた本発明の仮設ポール５０に置き換えて、仮設ポール５０のコーンバー支持具４１によりコーンバー３４を支持させると共に、コーンバー３４から上方に突出する仮設ポール５０の上半部を利用して、自発光型表示器３１や看板用ブラケット５４などを取り付けることが出来る。
【００３３】
尚、上記実施例では、差込み用小径軸部９と受け用筒状部１１との嵌合接続構造に関して、両者の嵌合深さを軸方向の当接によって制限するのではなく、差込み用小径軸部９側の外周面と受け用筒状部１１側の内周面の内、少なくとも一方を円錐面に形成して、軸方向の嵌合深さを制限すると同時に自動調心作用の当接部を軸方向２箇所に設けた構造としているが、差込み用小径軸部９と受け用筒状部１１との嵌合状態において多少のがたがあっても差し支えないときは、受け用筒状部１１に対する差込み用小径軸部９の嵌合深さを、差込み用小径軸部９の先端部に当接する嵌合深さ制限用突出部を受け用筒状部１１の内側に設けただけの嵌合接続構造であっても良い。この場合、受け用筒状部１１に対して制限深さまで差し込まれた差込み用小径軸部９の基部に、受け用筒状部１１の端面から突出する被嵌合部１９が確保されれば良い。この被嵌合部１９は、差込み用小径軸部９の基部そのもので構成することも出来る。
【００３４】
更に、受け用筒状部１１がポール単体１の上端に位置する向きにポール単体１を使用するときは、この受け用筒状部１１の上端をそのままコーンバー支持具受け部５１とすることが出来るし、逆に差込み用小径軸部９がポール単体１の上端に位置する向きにポール単体１を使用するときは、パイプ本体１ａの上端とこれに続く差込み用小径軸部９との間の段面をそのままコーンバー支持具受け部５１とすることが出来る。このコーンバー支持具受け部５１との間でコーンバー支持具４１の板状取付け部材４３を挟んで位置決めする上側の面は、受け用筒状部１１が下側になる場合は、上側になる差込み用小径軸部９の基部側に設けられ、逆に差込み用小径軸部９が下側になる場合は、上側の受け用筒状部１１の下端面となるが、このコーンバー支持具受け部５１との間でコーンバー支持具４１の板状取付け部材４３を挟んで位置決めする上側の面は無くとも良い。
【産業上の利用可能性】
【００３５】
本発明のコーンバー支持用仮設ポールは、簡単に組立て分解が可能であり、しかも組み立てられた仮設ポールの中間高さに、専用の支持用コーンを利用して支持される一般的なコーンバーを簡単に且つ安定的に支持出来る仮設ポールとして活用することが出来る。
【符号の説明】
【００３６】
１    ポール単体
２    杭用ポール単体
３    クランプ取付け用ポール単体
４    注水式ベース
５    固定用ベース
６    パイプクランプ
７    コ型クランプ
９    差込み用小径軸部
１０，１２，１４    嵌合部
１１，１３    受け用筒状部
１５    クランプ取付け部
１６    円柱状軸部
１７    円錐面状基部
１８    円錐面状先端部
１９    被嵌合部
２０    円錐形拡径部
２１    先端内側突出部
２２    基部内側突出部
２３    係止手段
２４    板バネ
２５    位置決め用ピン
２６    ロックピン
２８    係止孔
２９    基部内側突出部
３０    据付け手段
３１    自発光型表示器
３２，３８    取付け用軸部
３３    コーンバー支持用キャップ
３４    コーンバー
３４ａ    リング
３５    台座部
３６    円形突出部
３７    抜け止め用突起部
３９    抜け止め用拡径円周部
４０    回り止め突起
４１    コーンバー支持具
４２    貫通孔
４３，５６    板状取付け部材
４４    支持脚部
４４ａ    リング支持部
５０    仮設ポール
５１    コーンバー支持具受け部
５２    リフレクタ
５３    看板
５４    看板用ブラケット
５５    コーン
【図１】
2014084571.tif 000003
【図２】
2014084571.tif 000004
【図３】
2014084571.tif 000005
【図４】
2014084571.tif 000006
【図５】
2014084571.tif 000007
【図６】
2014084571.tif 000008
【図７】
2014084571.tif 000009
【図８】
2014084571.tif 000010
【図９】
2014084571.tif 000011
【図１０】
2014084571.tif 000012